(57)【要約】  【課題】高さ調整のし易さと、掃除等のメンテナンスのし易さを兼ね備えた支柱を提供する。  【解決手段】本実施形態に係る構成体Ｂを構成する支柱１は、支柱本体１０と、この支柱本体１０の下端部に上下方向に螺合進退可能に設けられ、接地部１２３が支柱本体１０の床面への平面投影領域よりも内側に存在するアジャスタ１２と、少なくともアジャスタ１２の接地部１２３を隠蔽する隠蔽位置ＣＬからアジャスタ１２を露出させる退避位置ＯＰの間で移動可能なカバー１１とを具備してなることを特徴とする。  【選択図】図５
2009165650.tif 000002
【特許請求の範囲】
【請求項１】
支柱本体と、この支柱本体の下端部に上下方向に螺合進退可能に設けられ、接地部が前記支柱本体の床面への平面投影領域よりも内側に存在するアジャスタと、少なくともアジャスタの接地部を隠蔽する隠蔽位置からアジャスタの露出させる退避位置の間で移動可能なカバーとを具備してなることを特徴とする支柱。
【請求項２】
前記カバーの外縁と前記支柱本体の平面投影領域とがほぼ一致するように設定している請求項１記載の支柱。
【請求項３】
前記カバーを上下方向に動作し得るものとし、前記カバーの動作範囲における上端を退避位置に設定している請求項１又は２記載の支柱。
【請求項４】
前記カバーを前記退避位置で位置決めするカバー位置決め手段を更に具備している請求項１、２又は３記載の支柱。
【請求項５】
前記カバーを上下方向に動作し得るものとし、前記カバーの上端部を前記支柱本体に係り合うことにより前記カバー位置決め手段を構成している請求項４記載の支柱。
【発明の詳細な説明】
【技術分野】
【０００１】
本発明は、床面の不陸等に対応すべく高さ調整をし得るアジャスタを有する支柱に関するものである。
【背景技術】
【０００２】
近時、オフィスでは、床面に支持させた複数の支柱の上端部を横架材により連結して構造体を構成した上、これら支柱や横架材にパネルや収納棚等のオプション部材を取り付けることにより、オフィス内に特定の作業空間を形成する、いわゆる居住空間構成設備と呼ばれるものがある。この居住空間構成設備は、グループ或いは個人の作業の場等として利用され、フレキシブルオフィスの新しい形として注目されている
ところで、前記構造体における支柱は一般的に、支柱本体の下端にアジャスタを設け、このアジャスタのレベル調整によって、床面の不陸等に対応できるようにしているのが通例である。
【０００３】
このアジャスタは、具体的には、床面に接地する接地体と、この接地体から上向きに突出した雄ねじ部を有している。他方支柱本体には、その下端部に回転不能に設けてなり前記雄ねじ部を螺進退移動可能に保持する雌ねじ部を設けている。そして、レベル調整を行う場合には、前記接地体を把持して前記雄ねじ部を支柱本体側の雌ねじ部に対して螺進退させることにより、前記接地体を支柱本体に対して相対的に上下動させることにより支柱本体を上下動させて、床面の不陸等を吸収するようにしている。
【特許文献１】特開２００２−２２３８８０号公報
【発明の開示】
【発明が解決しようとする課題】
【０００４】
しかしながら、支柱の下端に設けたアジャスタを採用する場合、アジャスタ付近における床面と支柱本体との間にはアジャスタの動作しろとしての隙間ができることとなり、この隙間に床面に付着したゴミやホコリがたまってしまうといったことが起こり易い状態となっている。そしてそれえらゴミやホコリがたまってしまうと、アジャスタ回転動作に支障を来したり、アジャスタの表面や支柱本体の下側やアジャスタとの境界付近に付着したりしてしまい、簡単な掃除作業では除去出来ず、いきおい入念な掃除作業を余儀なくされると云いったことが起こり得るものとなっている。
【０００５】
本発明は、このような不具合に着目したものであり、高さ調整のし易さと、掃除等のメンテナンスのし易さを兼ね備えた支柱を提供する。
【課題を解決するための手段】
【０００６】
本発明は、このような目的を達成するために、次のような手段を講じたものである。すなわち、本発明に係る支柱は、支柱本体と、この支柱本体の下端部に上下方向に螺合進退可能に設けられ、接地部が前記支柱本体の床面への平面投影領域よりも内側に存在するアジャスタと、少なくともアジャスタの接地部を隠蔽する隠蔽位置からアジャスタの露出させる退避位置の間で移動可能なカバーとを具備してなることを特徴とする。
【０００７】
このようなものであれば、アジャスタの接地部を隠蔽する隠蔽位置からアジャスタの露出させる退避位置の間で移動可能なカバーを具備しているので、隠蔽位置においてアジャスタや支柱本体の下端にゴミやホコリが付着することを有効に回避して、掃除やメンテナンスを行ないやすくすることができるとともに、退避位置において容易にアジャスタを操作することができるものとなる。このように本発明に操作性とメンテナンス性を有効に両立させたアジャスタ付きの支柱を提供することができる。
【０００８】
そして、隠蔽位置においてより有効にゴミやホコリの付着を回避するとともに支柱全体としての外観をより向上させるためには、カバーの外縁と支柱本体の平面投影領域とがほぼ一致するように設定して、支柱本体とカバーとを略同一の太さに設定すればよい。
【０００９】
さらにカバーの動作しろを少ないスペースに有効に確保するための構成として、カバーを上下方向に動作し得るものとし、カバーの動作範囲における上端を退避位置に設定したものを挙げることができる。
【００１０】
そして、アジャスタの操作をより簡便且つスムーズに行なわせるためには、
カバーを退避位置で位置決めするカバー位置決め手段を更に設けることが好ましい。具体的には、上下方向に動作するカバーにおいて、当該カバーの上端部を支柱本体に係り合うことによりカバー位置決め手段を構成すればよい。
【発明の効果】
【００１１】
本発明によれば、隠蔽位置においてアジャスタや支柱本体の下端にゴミやホコリが付着することを有効に回避して、掃除やメンテナンスを行ないやすくすることができるとともに、退避位置において容易にアジャスタを操作することができるものとなる。このように本発明に操作性とメンテナンス性を有効に両立させたアジャスタ付きの支柱を提供することが可能となる。
【発明を実施するための最良の形態】
【００１２】
以下、本発明の一実施の形態を、図面を参照して説明する。
【００１３】
本実施の形態では、本発明の支柱１によって構造体Ｂを構成した態様、具体的には構造体Ｂを、図１に示すようなオフィス内に作業空間を形成するいわゆる居住空間構成設備として利用した場合について説明する。
【００１４】
この構造体Ｂは、床Ｆ上に起立姿勢で配置される複数の支柱１と、略水平方向に延びて隣接する支柱１の上端部同士間に配置される横架材Ｓとにより構成され、これら支柱１と横架材Ｂとが共に拘束し合って自立性を確保している。そして、これら支柱１と横架材Ｂとにより形成される所定空間内にパネルＰの他、机や椅子等の家具を配置するとともに、当該支柱１及び横架材Ｂに天板や吊り棚等のオプション部材を取り付けることにより作業空間を形成し得るものである。また、この構造体Ｂは、配線案内機能も有しており、これら支柱１及び横架材２の内部には、床Ｆの下方の空間或いは天井側空間内に張り巡らされた配線を引き込んで案内し得る連続した図示しない配線案内空間が設けてある。
【００１５】
そしてこの構造体Ｂにおいて、図２乃至図５に示すように、床Ｆにおける支柱１を支持する箇所には、カーペットを一部切り欠いて土台部Ｆ１をビス止めし、当該土台部Ｆ１には後述するアジャスタ１２を被覆する被覆部Ｆ２を固定している。土台部Ｆ１は、後述するアジャスタ１２を支持する平坦部Ｆ１１と、被覆部Ｆ２を固定するための立縁部Ｆ１２とを有している。被覆部Ｆ２は、アジャスタ１２を主に被覆する被覆部本体Ｆ２１と、アジャスタ１２の雄ねじ部１２１を挿通するための挿通穴Ｆ２２と、一部にアジャスタ１２の後述する操作部１２２を操作可能に露出させる操作窓Ｆ２３を有している。そして本実施形態では、この土台部Ｆ１と被覆部Ｆ２によって、支柱１の位置の設定並びにガイドの役割も果たしている。
【００１６】
ここで本実施形態に係る構成体Ｂを構成する支柱１は、支柱本体１０と、この支柱本体１０の下端部に上下方向に螺合進退可能に設けられ、接地部１２３が支柱本体１０の床面への平面投影領域よりも内側に存在するアジャスタ１２と、少なくともアジャスタ１２の接地部１２３を隠蔽する隠蔽位置ＣＬからアジャスタ１２を露出させる退避位置ＯＰの間で移動可能なカバー１１とを具備してなることを特徴とする。
【００１７】
以下、支柱１の具体的な構成について説明する。
【００１８】
支柱１は、図２、図3、図４及び図５に示すように、アルミ等の剛性のある素材からなる押出成形体を所要長さで切断して構成した柱状体１０ａと柱状体の下端に取り付けた下端板１０ｂからなる支柱本体１０と、この支柱本体１０に取り付けた接地部を主体とするアジャスタ１２と、このアジャスタ１２を隠蔽し得るカバー１１とからなる。
【００１９】
支柱本体１０は、上述の通り柱状体１０ａと下端板１０ｂとからなるものである。そして柱状体１０ａは、外側において外壁１０１と内壁１０２とを空洞１０４を介して設けた所謂二重壁構造としている。また加えて、内壁１０２の内側の空間には平断面視十字型に伸びるリブ１０３を形成している。この支柱本体１０は上側において、外壁１０１、内壁１０２及び空洞１０４を利用することにより、横架材ＳやパネルＰを好適に取り付けるための格別の構成を有しているものであるが、本実施形態では当該構成の詳細な説明を省略するものとする。そして柱状体１０ａの下端側では下端板１０ｂ並びにアジャスタ１２の後述する雄ねじ部１２１の動作しろを確保するために切欠１０３ａを形成している。下端板１０ｂは、中央において雄ねじ部１２１を上下方向に螺合進退可能に支持する雌ねじ部１０５と、後述するカバー１１のカバー上部１１２を収容し得るスリット１０６とを有している。
【００２０】
アジャスタ１２は、上述した下端板１０ｂの雌ねじ部１０５内を螺合進退可能な雄ねじ部１２１と、平面視六角形状とし、所定の工具によって回転させ得るように構成された操作部１２２と、床面、具体的には上述の通り床Ｆに取り付けられた土台部Ｆ１の平坦部Ｆ１１上に位置付けられた接地部１２３とを有している。そして接地部１２３並びに操作部１２２は、上述の土台部Ｆ１に取り付けられた被覆部Ｆ２の挿通穴Ｆ２２を挿通するように取り付けられており、操作部１２２を回転操作するにあたっては、カバー１１を後述する退避位置（ＯＰ）としたときに被覆部Ｆ２の操作窓Ｆ２３から露出している部分より、スパナなどの所定の工具により回転させるものとなっている。
【００２１】
カバー１１は、その外縁が支柱本体１０の平面投影領域に対してほぼ一致するように設定されているカバー本体１１１と、スリット１０６に収容されるカバー上部１１２とを有しており、カバー上部１１２の上端にはスリット１０６内部に対して摩擦により係止する挿入端１１２ａを形成ことにより、本発明に係るカバー位置決め手段である位置決め手段ＳＴを構成している。
【００２２】
ここで、本実施形態に係る支柱１は、図４並びに図５に特に示すように、少なくともアジャスタ１２の接地部１２３を隠蔽する隠蔽位置（ＣＬ）からアジャスタ１２の露出させる退避位置（ＯＰ）の間で移動可能なカバー１１とを具備してなることを特徴としている。また加えて本実施形態では、退避位置（ＯＰ）においてカバー１１を位置決めするカバー位置決め手段たる位置決め手段ＳＴを更に設けている。以下、カバー１１の動作並びに位置決め手段ＳＴの詳細について説明する。
【００２３】
カバー１１の動作範囲の下端に位置した状態では、カバー１１は図５に示すような隠蔽位置（ＣＬ）となり、このときカバー本体１１１は、アジャスタ１２のみならず床Ｆ側の土台部Ｆ１並びに被覆部Ｆ２をも略完全に隠蔽した状態となっている。他方図６に示すように、カバー１１を、当該カバー１１の動作範囲の上端に位置付けた状態では、退避位置（ＯＰ）なり、この状態において、アジャスタ１２の操作部１２２が操作窓Ｆ２３から一部露出した状態となり、当該操作窓Ｆ２３から所定の工具を使用して操作部１２２を回転させることにより、アジャスタ１２を支柱本体１０に対して相対的に上下動させることができる。また当該退避位置（ＯＰ）において、カバー上部１１２の最上部である挿入端１１２ａがスリット１０６に挟まった状態となるため、スリット１０６と挿入端１１２ａとが摩擦で係り合うことにより位置決めされた状態となり、カバー１１が退避位置（ＯＰ）で位置決めされた状態となっている。すなわち本実施形態では、斯かる挿入端１１２ａにより、位置決め手段ＳＴを構成するものとなっている。また位置決め手段ＳＴに係る構成は当該挿入端１１２ａによるものに限定されるものではなく、例えばカバー上部１１２側及びスリット１０６側の一方又は両方に別途突起等を設けることや、他の既存の係止手段を構成することによっても実現し得るものとなっている。
【００２４】
以上のような構成とすることにより、本実施形態に係る支柱１は、アジャスタ１２の接地部１２３を隠蔽する隠蔽位置（ＣＬ）からアジャスタ１２の露出させる退避位置（ＯＰ）の間で移動可能なカバー１１を具備しているので、隠蔽位置（ＣＬ）においてアジャスタ１２や支柱本体１０の下端にゴミやホコリが付着することを有効に回避して、掃除やメンテナンスを行ないやすくすることができるとともに、退避位置（ＯＰ）において容易にアジャスタ１２を操作することができるものとなる。このように本発明によって、操作性とメンテナンス性を有効に両立させたアジャスタ１２付きの支柱１を実現している。
【００２５】
そして本実施形態では、隠蔽位置（ＣＬ）においてより有効にゴミやホコリの付着を回避するとともに支柱１全体としての外観をより向上させるために、カバー１１の外縁と支柱本体１０の平面投影領域とがほぼ一致するように設定して、支柱本体１０とカバー１１とを略同一の太さに設定したものとしている。
【００２６】
さらにカバー１１の動作しろを少ないスペースに有効に確保するために本実施形態では、カバー１１を上下方向に動作し得るものとし、カバー１１の動作範囲における上端を退避位置（ＯＰ）に設定している。
【００２７】
また本実施形態では、当該カバー１１の上端部を支柱本体１０に係り合うことにより位置決め手段ＳＴを構成しているので、アジャスタ１２の操作をより簡便且つスムーズに行なわせ得るものとなっている。
【００２８】
以上、本発明の実施形態について説明したが、各部の具体的な構成は、上述した実施形態のみに限定されるものではなく、以下の変形例のように、本発明の趣旨を逸脱しない範囲で種々変形が可能である。なお以下の変形例において、上記実施形態と同様の構成要素については同じ符合を付し、その詳細な説明を省略するものとする。
【００２９】
＜変形例１＞
上記実施形態ではカバー１１の形状を概略凸条としたものを採用したが、図６及び図７に示す本変形例の通り、カバー１１の形状を単純な円盤状のものとしても良い。具体的には本変形例では、下単板側に下方に伸びる筒状部１０７を設けるとともに、当該筒状部１０７の上端からをその径をテーパ状に若干太くした係止端１０７ａを設けている。そしてこの係止端１０７ａがカバー１１の挿入端１１２ａに挟まるように構成することによって、カバー１１を退避位置（ＯＰ）で位置決めする位置決め手段ＳＴを構成したものとしている。このようなものであっても上記実施形態同様、隠蔽位置（ＣＬ）においてアジャスタ１２や支柱本体１０の下端にゴミやホコリが付着することを有効に回避して、掃除やメンテナンスを行ないやすくすることができるとともに、退避位置（ＯＰ）において容易にアジャスタ１２を操作することができるものとなる。このように本発明は、操作性とメンテナンス性を有効に両立させたものとなっている。
【００３０】
＜変形例２＞
また、上記実施形態では支柱本体１０側にスリット１０６を設け、当該スリット１０６にカバー上部１１２を挿入する構成を採用したが、図８及び図９に示す本変形例の様に、支柱本体１０の空洞１０４を下方に露出させ得る形状の下端板１０ｂを採用することにより、カバー上部１１２が当該空洞１０４内を移動好適に移動し得るものとしてもよい。そして同変形例では、退避位置（ＯＰ）とした際に空洞１０４の内側に挿入端１１２ａが挟まることにより、本発明に係る位置決め手段ＳＴを構成したものとなっている。
【００３１】
その他、各部の具体的構成についても上記実施形態に限られるものではなく、例えば支柱本体として、円柱状のものの他に四角柱や六角柱、或いは八角柱状のものを構成するなど、本発明の趣旨を逸脱しない範囲で種々変形が可能である。
【図面の簡単な説明】
【００３２】
【図１】本発明の一実施形態示す外観図。
【図２】同実施形態に係る要部外観図。
【図３】同上。
【図４】同実施形態に係る要部縦断面図。
【図５】図４に係る動作説明図。
【図６】同実施形態の変形例１に係る要部縦断面図。
【図７】図６に係る動作説明図。
【図８】同実施形態の変形例２に係る要部縦断面図。
【図９】図８に係る動作説明図。
【符号の説明】
【００３３】
１…支柱
１０…支柱本体
１１…カバー
１２…アジャスタ
１２３…接地部
ＣＬ…隠蔽位置
ＯＰ…退避位置
ＳＴ…カバー位置決め手段（位置決め手段）
【図１】
2009165650.tif 000003
【図２】
2009165650.tif 000004
【図３】
2009165650.tif 000005
【図４】
2009165650.tif 000006
【図５】
2009165650.tif 000007
【図６】
2009165650.tif 000008
【図７】
2009165650.tif 000009
【図８】
2009165650.tif 000010
【図９】
2009165650.tif 000011